(57)【要約】【課題】  クレセント錠のハンドルの回動を利用して内障子と外障子が正常閉鎖位置にあるか否かを感知し、正常閉鎖位置にあるときにのみハンドルを施錠方向に回動できるようにし、摩耗損傷を受けにくく、耐久性の向上が図れるサッシを提供する。【解決手段】  内障子３の召合せ框５ｃにハンドル８の回動により回動しつつ外障子４側へ延出する掛け部９を有するクレセント錠１０を設け、外障子４の召合せ框６ｃに上記掛け部９が係合するクレセント受け１１を設ける。上記掛け部９を含む回動側に、上記ハンドル８の解錠位置から施錠方向への所定角度以上の回動を阻止する回動阻止機構１４を設けると共に、上記内障子３と外障子４が正常閉鎖位置にあるときに上記ハンドル８の回動により上記クレセント受け１１に当接する反力で上記回動阻止機構１４を解除してハンドル８を施錠位置まで回動可能とする解除機構１５を設け、ハンドル８を解錠位置方向もしくは施錠位置方向へ選択的に付勢するバネ３４を設ける。【選択図】  図３
2005232964.tif 000002
【特許請求の範囲】
【請求項１】
内障子の召合せ框にハンドルの回動により回動しつつ外障子側へ延出する掛け部を有するクレセント錠を設け、外障子の召合せ框に上記掛け部が係合するクレセント受けを設け、上記ハンドルの施錠方向への所定角度以上の回動を阻止する回動阻止機構を設けると共に、上記内障子と外障子が正常閉鎖位置にあるときに上記ハンドルの回動により上記クレセント受けもしくは外障子の召合せ框に当接する反力で上記回動阻止機構を解除する解除機構を設けたことを特徴とするサッシ。
【請求項２】
内障子の召合せ框にハンドルの回動により回動しつつ延出する掛け部を有するクレセント錠を設け、外障子の召合せ框に上記掛け部が係合するクレセント受けを設け、上記掛け部を含む回動側に揺動可能な揺動体を設け、この揺動体の一端を固定側に設けられた係止部に係止させて上記ハンドルの所定角度以上の回動を阻止すると共に、上記内障子と外障子が正常閉鎖位置にあるときに上記ハンドルの回動で上記揺動体の他端が上記クレセント受けもしくは外障子の召合せ框に当接する反力で上記揺動体の一端と係止部の係止状態を解除するように構成したことを特徴とするサッシ。
【請求項３】
上記揺動体が上記掛け部を含む回動側に回動可能に軸支され、上記揺動体の他端が復帰バネにより突出する方向に付勢されていることを特徴とする請求項２に記載のサッシ。
【請求項４】
内障子の召合せ框にハンドルの回動により回動しつつ延出する掛け部を有するクレセント錠を設け、外障子の召合せ框に上記掛け部が係合するクレセント受けを設け、上記掛け部を含む回動側に径方向に摺動可能な摺動体を設け、この摺動体に設けられた爪部を固定側に設けられた係止部に係止させて上記ハンドルの所定角度以上の回動を阻止すると共に、上記内障子と外障子が正常閉鎖位置にあるときに上記ハンドルの回動で上記摺動体が上記クレセント受けもしくは外障子の召合せ框に当接する反力で上記摺動体の爪部と係止部の係止状態を解除するように構成したことを特徴とするサッシ。
【請求項５】
上記ハンドルには上記掛け部の取付基板に形成した嵌合孔に嵌合する回動軸が突設され、上記摺動体には上記回動軸に摺動可能に嵌合する長穴が設けられていることを特徴とする請求項４に記載のサッシ。
【請求項６】
内障子の召合せ框にハンドルの回動により回動しつつ外障子へ延出する掛け部を有するクレセント錠を設け、外障子の召合せ框に上記掛け部が係合するクレセント受けを設け、ハンドルの施錠方向へ所定角度以上の回動を阻止する回動阻止機構を設けると共に、上記内障子と外障子が正常閉鎖位置にあるときに上記回動阻止機構を解除する解除機構を設け、回動阻止機構は、掛け部を含む回動側の係止部と台座側の係止部とからなり、解除機構は上記内障子と外障子が正常閉鎖位置にあるときに上記ハンドルの回動により上記クレセント受けに当接する当接部を有し、当接部はクレセント受けに当接する反力で上記回動阻止機構を解除することを特徴とするサッシ。
【発明の詳細な説明】
【技術分野】
【０００１】
本発明は、クレセント錠を備えたサッシに係り、特に内障子および外障子が正常閉鎖位置にあるときにのみクレセント錠の施錠操作が行なえるようにしたサッシに関する。
【背景技術】
【０００２】
一般に、引き違い窓等のサッシにおいては、防犯等の目的で内障子と外障子を互に閉鎖位置で固定するクレセント錠が装備されている。このクレセント錠は、内障子の召合せ框に設けられ、ハンドルの回動により回動しつつ延出する掛け部（クレセントともいう）を有し、外障子の召合せ框には上記掛け部が係合するクレセント受け（受け金具ともいう）が設けられている。
【０００３】
しかしながら、上記クレセント錠を有するサッシにおいては、内障子および外障子が正常閉鎖位置にあるときだけでなく、開放位置にあるときでもクレセント錠のハンドルを回動操作することが可能に構成されているため、ハンドルを施錠方向に回動したままの状態、すなわち掛け部が外障子側に延出したままの状態で内障子や外障子を開閉すると、上記掛け部と外障子の縦框等が衝突して変形または損傷し、耐久性の低下を招く問題があった。
【０００４】
上記問題を解消するために、内障子および外障子が正常閉鎖位置にあるとき以外にはクレセント錠のハンドルが施錠方向に回動しないようにしたクレセント錠が提案されている（実公昭５７−５２３０３号公報、実開昭５８−２５４６７号公報等参照）。このクレセント錠は、外障子側へ突出した状態でハンドルの回動を阻止している突出部（感知部）を有しており、内障子および外障子を閉鎖したときに上記突出部が外障子の召合せ框に接触して没入することによりハンドルの回動阻止状態が解除されるように構成されている。
【０００５】
【特許文献１】実公昭５７−５２３０３号
【特許文献２】実開昭５８−２５４６７号公報
【発明の開示】
【発明が解決しようとする課題】
【０００６】
しかしながら、上述したクレセント錠を備えたサッシにおいては、内障子や外障子を開閉する度に上記突出部が外障子の縦框等に接触する。このため、上記突出部や外障子の縦框等に摩耗や損傷を受けやすく、耐久性の低下を招く不具合がある。
【０００７】
本発明は、上記課題を解決すべくなされたもので、クレセント錠のハンドルの回動を利用して内障子と外障子が正常閉鎖位置にあるか否かを感知し、正常閉鎖位置にあるときにのみハンドルを施錠位置まで回動できるようにし、摩耗損傷を受けにくく、耐久性の向上が図れるサッシを提供することを目的とする。
【課題を解決するための手段】
【０００８】
本発明は、内障子の召合せ框にハンドルの回動により回動しつつ外障子側へ延出する掛け部を有するクレセント錠を設け、外障子の召合せ框に上記掛け部が係合するクレセント受けを設け、上記ハンドルの施錠方向への所定角度以上の回動を阻止する回動阻止機構を設けると共に、上記内障子と外障子が正常閉鎖位置にあるときに上記ハンドルの回動により上記クレセント受けもしくは外障子の召合せ框に当接する反力で上記回動阻止機構を解除する解除機構を設けたことを特徴とするサッシである。
【０００９】
本発明は、内障子の召合せ框にハンドルの回動により回動しつつ延出する掛け部を有するクレセント錠を設け、外障子の召合せ框に上記掛け部が係合するクレセント受けを設け、上記掛け部を含む回動側に揺動可能な揺動体を設け、この揺動体の一端を固定側に設けられた係止部に係止させて上記ハンドルの所定角度以上の回動を阻止すると共に、上記内障子と外障子が正常閉鎖位置にあるときに上記ハンドルの回動で上記揺動体の他端が上記クレセント受けもしくは外障子の召合せ框に当接する反力で上記揺動体の一端と係止部の係止状態を解除するように構成したことを特徴とするサッシである。
【００１０】
本発明は、上記揺動体が上記掛け部を含む回動側に回動可能に軸支され、上記揺動体の他端が復帰バネにより突出する方向に付勢されていることを特徴とするサッシである。
【００１１】
本発明は、内障子の召合せ框にハンドルの回動により回動しつつ延出する掛け部を有するクレセント錠を設け、外障子の召合せ框に上記掛け部が係合するクレセント受けを設け、上記掛け部を含む回動側に径方向に摺動可能な摺動体を設け、この摺動体に設けられた爪部を固定側に設けられた係止部に係止させて上記ハンドルの所定角度以上の回動を阻止すると共に、上記内障子と外障子が正常閉鎖位置にあるときに上記ハンドルの回動で上記摺動体が上記クレセント受けもしくは外障子の召合せ框に当接する反力で上記摺動体の爪部と係止部の係止状態を解除するように構成したことを特徴とするサッシである。
【００１２】
本発明は、上記ハンドルには上記掛け部の取付基板に形成した嵌合孔に嵌合する回動軸が突設され、上記摺動体には上記回動軸に摺動可能に嵌合する長穴が設けられていることを特徴とするサッシである。
【００１３】
本発明は、内障子の召合せ框にハンドルの回動により回動しつつ外障子へ延出する掛け部を有するクレセント錠を設け、外障子の召合せ框に上記掛け部が係合するクレセント受けを設け、ハンドルの施錠方向へ所定角度以上の回動を阻止する回動阻止機構を設けると共に、上記内障子と外障子が正常閉鎖位置にあるときに上記回動阻止機構を解除する解除機構を設け、回動阻止機構は、掛け部を含む回動側の係止部と台座側の係止部とからなり、解除機構は上記内障子と外障子が正常閉鎖位置にあるときに上記ハンドルの回動により上記クレセント受けに当接する当接部を有し、当接部はクレセント受けに当接する反力で上記回動阻止機構を解除することを特徴とするサッシである。
【発明の効果】
【００１４】
本発明に係るサッシによれば、内障子の召合せ框にハンドルの回動により回動しつつ外障子側へ延出する掛け部を有するクレセント錠を設け、外障子の召合せ框に上記掛け部が係合するクレセント受けを設け、上記掛け部を含む回動側に、ハンドルの解錠位置から施錠方向への所定角度以上の回動を阻止する回動阻止機構を設けると共に、上記内障子と外障子が正常閉鎖位置にあるときに上記ハンドルの回動により上記クレセント受けに当接する反力で上記回動阻止機構を解除してハンドルを施錠位置まで回動可能とする解除機構を設け、ハンドルを解錠位置方向もしくは施錠位置方向へ選択的に付勢するバネを設けているため、クレセント錠のハンドルの回動を利用して内障子と外障子が正常閉鎖位置にあるか否かを機械的に感知することができると共に、正常閉鎖位置にあるときにのみハンドルを施錠位置まで回動することができ、感知部である突出部が常時突出していて障子の開閉の度に外障子の縦框等と接触する従来のクレセント錠を備えたサッシと異なり、摩耗損傷を受けにくく、耐久性の向上が図れる。
【００１５】
本発明に係るサッシによれば、内障子の召合せ框にハンドルの回動により回動しつつ延出する掛け部を有するクレセント錠を設け、外障子の召合せ框に上記掛け部が係合するクレセント受けを設け、上記掛け部を含む回動側に揺動可能な揺動体を設け、この揺動体の一端を固定側に設けられた係止部に係止させて上記ハンドルの所定角度以上の回動を阻止すると共に、上記内障子と外障子が正常閉鎖位置にあるときに上記ハンドルの回動で上記揺動体の他端が上記クレセント受けに当接する反力で上記揺動体の一端と係止部の係止状態を解除してハンドルを施錠位置まで回動可能とし、ハンドルを解錠位置方向もしくは施錠位置方向へ選択的に付勢するバネを設けているため、クレセント錠のハンドルの回動を利用して内障子と外障子が正常閉鎖位置にあるか否かを機械的に感知することができると共に、正常閉鎖位置にあるときにのみハンドルを施錠位置まで回動することができ、感知部である突出部が常時突出していて障子の開閉の度に外障子の縦框等と接触する従来のクレセント錠を備えたサッシと異なり、摩耗損傷を受けにくく、耐久性の向上が図れる。
【発明を実施するための最良の形態】
【００１６】
以下に、本発明の実施の形態を添付図面に基づいて詳述する。
【００１７】
図１においては、１は引き違い式のサッシで、建物の躯体の開口部に取り付けられる方形に組み立てられた枠体２を有している。この枠体２内には、内障子３と外障子４がスライド開閉可能に取り付けられている。内障子３および外障子４は、上框５ａ，６ａ、下框５ｂ，６ｂおよび両側の縦框５ｃ，５ｄ，６ｃ，６ｄにより方形に組み立てられた框体５，６の内側にガラス７を嵌めて構成されている。
【００１８】
そして、上記内障子３の召合せ框５ｃには図２ないし図３にも示すようにハンドル８の回動操作により回動しつつ外障子４側に延出する掛け部９を有するクレセント錠１０が取り付けられ、外障子４の召合せ框６ｃには上記掛け部９が係合するクレセント受け１１が取り付けられている。上記掛け部９は、剛性を有する板材、好ましくは金属板からなる取付基板１２を有し、この取付基板１２の一部を略円弧状に折り曲げ加工して形成されている。上記クレセント受け１１は、剛性を有する板材、好ましくは金属板からなり、先端が内障子３側にＵ字状に折り曲げられ、且つ上記掛け部９が係合しやすいように断面円弧状に加工された受部１３を有している。
【００１９】
上記クレセント錠１０には、そのハンドル８の施錠方向への所定角度以上の回動を阻止する回動阻止機構１４が設けられると共に、上記内障子３と外障子４が正常閉鎖位置にあるときに上記ハンドル８の回動により上記クレセント受け１１に当接する反力で上記回動阻止機構１４を解除する解除機構１５が設けられている。これらの構造について更に具体的に説明すると、上記クレセント錠１０は、これを内障子３の召合せ框５ｃの端面に取り付けるための箱状の台座１６を有し、この台座１６には上記ハンドル８に設けられた回動軸１７を回動可能に支持する孔部１８が設けられている。
【００２０】
上記ハンドル８の基部には、上記回動軸１７が直角に突設されており、この回動軸１７にはキー１９が突設されている。上記掛け部９の取付基板１２には、上記ハンドル８のキー１９を含む回動軸１７が嵌合するキー溝２０付きの嵌合穴２１が設けられ、取付基板１２を含む掛け部９がハンドル８と一体に回動するようになっている。また、上記台座１６には、上記回動軸１７のキー１９を収容し、このキー１９を介してハンドル８の回動を一定範囲、図示例では図６にも示すように下向きから上向きまでの略１８０度の範囲に規制する回動規制溝２２が設けられている。
【００２１】
そして、上記クレセント錠１０の掛け部９を含む回動側には、揺動可能な揺動体２３が設けられ、この揺動体２３の一端を固定側に設けられた係止部２４に係止させてハンドル８の所定角度以上の回動を阻止すると共に、内障子３と外障子４が正常閉鎖位置にあるときに上記ハンドル８の回動で上記揺動体２３の他端が上記クレセント受け１１、具体的にはその受部１３に当接する反力で上記揺動体２３の一端と係止部２４の係止状態を解除するように構成されている。
【００２２】
すなわち、回動側である上記掛け部９の取付基板１２とハンドル８には、上記揺動体２３の支軸２５が嵌合する孔部２６，２７が設けられ、取付基板１２とハンドル８の間には、剛性を有する板材、好ましくは金属板からなる上記揺動体２３が支軸２５を介して揺動可能に取り付けられている。上記揺動体２３の一端には台座１６側へ突出した爪部２８が形成され、揺動体２３の他端には上記クレセント受け１１の受部１３に当接される感知部としての当接面部２９が形成されている。
【００２３】
上記揺動体２３の支軸２５には、上記爪部２８を取付基板１２の一部に係止させ、上記当接面部２９を掛け部９の始端側に保持するように付勢する復帰バネ３０が取り付けられている。また、固定側である台座１６には、ハンドル８を下向きの解除位置イから施錠方向へ所定角度（当接面部２９がクレセント受け１１の受部１３に当接するのに必要な回動角度、例えば７０度程度）回動すると、上記揺動体２３の爪部２８を係止して、ハンドル８のそれ以上の回動を阻止する係止部２４が設けられている（図４参照）。すなわち、上記揺動体２３の爪部２８および係止部２４によって上記回動阻止機構１４が構成されている。
【００２４】
一方、上記揺動体２３は、内外の障子３，４が正常閉鎖位置にあるときにハンドル８を解錠位置イから施錠方向へ回動すると、当接面部２９がクレセント受け１１の受部１３に当接し、更に復帰バネ３０の付勢力に抗して支軸２５を支点に掛け部９の内側後方へ倒れ、その反力ないし反作用で爪部２８が取付基板１２および上記係止部２４から離反し、回動阻止状態が解除されるようになっている。すなわち、上記揺動体２３の当接面部２９によって上記回動阻止機構１４を解除する解除機構１５が構成されている。上記回動阻止状態が解除されることにより、ハンドル８を上向きの施錠位置ロまで回動することができる（図５参照）。上記台座１６には、上記係止部２４から離反された爪部２８を上記当接面部２９が倒れた状態を維持するように案内する案内部３１が設けられている。
【００２５】
上記台座１６の内部において、上記ハンドル８の回動軸１７の端部には抜け止め用の端板３２がネジ３３で取り付けられ、この端板３２にはハンドル８の回動に伴ってハンドル８を解錠位置イ方向もしくは施錠位置ロ方向へ選択的に付勢するバネ３４が取り付けられている。また、台座１６内には、施錠位置ロにおいて、上記端板３２に形成された係合溝３５に着脱可能に係合する係合片３６を有するロック部材３７が摺動可能に設けられ、このロック部材３７に突設された摘み３８の操作でクレセント錠１０を施錠位置にロックすることができるように構成されている。
【００２６】
次に、以上のように構成されたサッシの作用について述べる。通常、クレセント錠１０は、内障子３および外障子４を閉鎖してから施錠するのであるが、内障子３および外障子４の閉鎖が不十分な状態、或いは内障子３や外障子４が開放された状態で誤って施錠操作を行なってしまう場合がある。このような場合、クレセント錠１０のハンドル８を図４の（ａ）、（ｂ）に示すように解錠位置イから施錠方向に回動操作すると、揺動体２３の当接面部２９がクレセント受け１１の受部１３に当接しないため、揺動体２３の爪部２８が台座１６側の係止部２４に係止され、ハンドル８の回動が阻止される。従って、ハンドル８をそれ以上施錠方向へ回動することができないため、誤って施錠を行なうことが未然に防止される。
【００２７】
また、ハンドル８を解放すると、ハンドル８がバネ３４によって解除位置イに自動的に戻るため、クレセント錠１０の掛け部９が施錠方向に延出したままになることがない。従って、その後、内障子３や外障子４を開閉しても、上記掛け部９と外障子４の縦框６ｄ等が衝突して変形または損傷するようなことはなく、耐久性の向上が図れる。
【００２８】
一方、上記内障子３および外障子４が正常閉鎖位置にある場合には、図５の（ａ）、（ｂ）に示すようにクレセント錠１０のハンドル８を解錠位置イから施錠方向へ回動操作すると、上記ハンドル８の回動に伴って掛け部９および揺動体２３の当接面部２９がクレセント受け１１に接近し、更に図５の（ｃ）に示すように当接面部２９がクレセント受け１１の受部１３に当接して復帰バネ３０の付勢力に抗して支軸２５を支点に倒れ、その反力ないし反作用で揺動体２３の爪部２８が台座１６側の係止部２４から離反する。
【００２９】
従って、上記揺動体２３の爪部２８が係止部２４に係止されず、すなわち回動阻止機構１４が解除された状態となるため、図５の（ｄ）に示すようにハンドル８をそのまま施錠位置ロまで回動することが可能となり、掛け部９をクレセント受け１１の受部１３に十分に係合させて確実に施錠することができる。また、上記係止部２４から離反した爪部２８はそのまま案内部３１に沿って案内されることにより、揺動体２３の当接面部２９が倒れたままの状態を維持される。
【００３０】
クレセント錠１０を解錠する場合には、ハンドル８を施錠位置ロから解錠方向へ回動操作すればよく、上記とは逆の順序で掛け部９および揺動体２３の当接面部２９がクレセント受け１１から離反され、揺動体２３の当接面部２９がクレセント受け１１の受部１３に引っ掛かることがなく、確実且つ容易に解錠することができる。
【００３１】
このようにクレセント錠１０のハンドル８の回動を利用して内障子３と外障子４が正常閉鎖位置にあるか否かを感知することができ、正常閉鎖位置にあるときにのみハンドル８を施錠方向に十分に回動することができるため、感知部である突出部が常時突出していて障子の開閉の度に外障子の縦框等と接触する従来のクレセント錠を備えたサッシと異なり、摩耗損傷を受けにくく、耐久性の向上が図れる。すなわち、本実施の形態において、感知部として機能する揺動体２３の当接面部２９は、クレセント錠１０の回動側である掛け部９の始端側に配置されており、施錠時にのみ掛け部９と共に外障子４側へ延出される構造であるため、摩耗損傷を受けにくく、耐久性の向上が図れる。また、上記クレセント錠１０を既存のクレセント錠と交換するだけで、既存のサッシにも本発明を容易に適用することができる。
【００３２】
図７〜図９は、クレセント錠の他の例を示している。上述したクレセント錠と同一部分には同一参照符合を付してその部分の説明は省略する。図示するようにこのクレセント錠１０は、その掛け部９を含む回動側に径方向に摺動可能な摺動体４０を設け、この摺動体４０に設けられた爪部２８を固定側に設けられた係止部２４に係止させてハンドル８の所定角度以上の回動を阻止すると共に、内障子３と外障子４が正常閉鎖位置にあるときに上記ハンドル８の回動で上記摺動体４０が上記クレセント受け１１、具体的にはクレセント受け１１の受部１３に当接する反力で上記摺動体４０の爪部２８と係止部２４の係止状態を解除するように構成されている。
【００３３】
上記摺動体４０は、上述したクレセント錠１０の揺動体２３に代わるもので、剛性を有する板材、好ましくは金属板により形成されている。この摺動体４０には、ハンドル８のキー１９を含む回動軸１７に径方向の一方向に摺動可能に嵌合する長穴４１が設けられている。また、摺動体４０の摺動方向一端には、掛け部９の始端側に位置される山状のカム面部（当接面部に相当する）４２が形成され、摺動体４０の他端に上記爪部２８が形成されている。上記ハンドル８には、摺動体４０の他端を上記カム面部４２が掛け部９の始端に当接する方向へ付勢する復帰バネ４３が取り付けられている。
【００３４】
上記クレセント錠１０においては、内障子３および外障子４が正常閉鎖位置にない場合に、ハンドル８を図８の（ａ）、（ｂ）に示すように解錠位置イから施錠方向に回動操作すると、摺動体４０のカム面部４２がクレセント受け１１の受部１３に当接しないため、摺動体４０の爪部２８が台座側の係止部２４に係止され、ハンドル８の回動が阻止される。従って、ハンドル８をそれ以上施錠方向へ回動することができないため、誤って施錠操作を行なうことが未然に防止される。
【００３５】
一方、上記内障子３および外障子４が正常閉鎖位置にある場合には、図９の（ａ）、（ｂ）に示すようにクレセント錠１０のハンドル８を解錠位置イから施錠方向へ回動操作すると、上記ハンドル８の回動に伴って掛け部９および摺動体４０のカム面部４２がクレセント受け１１に接近し、更に図９の（ｃ）に示すようにカム面部４２がクレセント受け１１の受部１３に当接して復帰バネ４３の付勢力に抗して押し込まれ、その反力ないし反作用で摺動体４０の爪部２８が台座１６側の係止部２４から離反する。
【００３６】
これにより、上記摺動体４０の爪部２８が係止部２４に係止されないため、図９の（ｄ）に示すようにハンドル８をそのまま施錠位置ロまで回動することが可能となり、掛け部９をクレセント受け１１に十分に係合させて確実に施錠することができる。従って、本例のサッシにおいても、上述したサッシと同様の作用効果が得られる。
【００３７】
以上、本発明の実施の形態を図面により詳述してきたが、本発明は上記実施の形態に限定されるものではなく、本発明の要旨を逸脱しない範囲での種々の設計変更等が可能である。例えば、揺動体の取付構造としては、ハンドルに突設した支軸に、揺動体に形成した孔を嵌合させるようにしてもよく、あるいは掛け部の取付基板に揺動体を軸支するようにしてもよい。摺動体の取付構造としては、掛け部の取付基板に軸を突設し、この軸を介して摺動体を摺動可能に取付けるようにしてもよい。
【００３８】
上記実施の形態では、揺動体２３の当接面部２９もしくは摺動体４０のカム面部４２がクレセント受け１１に当接することにより正常閉鎖位置にあることを感知するように構成されているが、例えば内障子７の召合せ框５ｃ内に回動阻止機構および解除機構をクレセント錠と連動するように設け、上記クレセント受け１１の代わりに外障子４の召合せ框６ｃに当接することにより正常閉鎖位置にあることを感知するように構成されていてもよい。また、上記実施の形態では、内外２枚の障子を有するサッシが例示されているが、本発明は３枚以上複数枚の障子を有するサッシにも適用可能である。
【図面の簡単な説明】
【００３９】
【図１】本発明を適用したサッシを室内側から見た正面図である。
【図２】図１のＡ−Ａ線拡大断面図である。
【図３】図２に示されたクレセント錠の分解斜視図である。
【図４】クレセント錠の作動を説明する説明図である。
【図５】クレセント錠の作動を説明する説明図である。
【図６】クレセント錠の台座部の背面図である。
【図７】クレセント錠の他の例を示す分解斜視図である。
【図８】図７のクレセント錠の作動を説明する説明図である。
【図９】クレセント錠の作動を説明する説明図である。
【符号の説明】
【００４０】
１  サッシ
３  内障子
４  外障子
５ｃ  内障子の召合せ框
６ｃ  外障子の召合せ框
８  ハンドル
９  掛け部
１０  クレセント錠
１１  クレセント受け
１４  回動阻止機構
１５  解除機構
２３  揺動体
２４  係止部
３４  バネ
【図１】
2005232964.tif 000003
【図２】
2005232964.tif 000004
【図３】
2005232964.tif 000005
【図４】
2005232964.tif 000006
【図５】
2005232964.tif 000007
【図６】
2005232964.tif 000008
【図７】
2005232964.tif 000009
【図８】
2005232964.tif 000010
【図９】
2005232964.tif 000011